【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
画像形成装置であって、
シート挿入口を有し、ユーザによって前記シート挿入口に挿入された複数のシートに対してステイプルを行うステイプル手段と、
前記シート挿入口に挿入されたシートを検知する検知手段と、
所定の条件が満たされたことに基づいて、前記画像形成装置を前記第１電力状態から前記第２電力状態へ移行させる制御手段と、を備え、
前記制御手段は、少なくとも前記シート挿入口に挿入されたシートを前記検知手段が検知している間は、前記画像形成装置を前記第１電力状態から前記第２電力状態へ移行させない
ことを特徴とする画像形成装置。
【請求項２】
前記制御手段は、前記シート挿入口に挿入されたシートを前記検知手段が検知していないことを少なくとも１つの条件として、前記画像形成装置を前記第１電力状態から前記第２電力状態へ移行させる
ことを特徴とする請求項１に記載の画像形成装置。
【請求項３】
前記制御手段は、前記シート挿入口に挿入されたシートを前記検知手段が検知している間に前記所定の条件が満たされた場合には、前記シート挿入口に挿入された前記シートを前記検知手段が検出しなくなったときに前記画像形成装置を前記第１電力状態から前記第２電力状態へ移行させる
ことを特徴とする請求項１又は２に記載の画像形成装置。
【請求項４】
前記制御手段は、前記所定の条件が満たされたことによって前記画像形成装置が前記第１電力状態から前記第２電力状態へ移行している間に、前記シート挿入口に挿入されたシートを前記検知手段が検知すると、前記画像形成装置を前記第２電力状態から前記第１電力状態へ戻す
ことを特徴とする請求項１から３のいずれか１項に記載の画像形成装置。
【請求項５】
前記制御手段は、前記シート挿入口に挿入されたシートを前記検知手段が検知すると、表示部のバックライトをオンにする
ことを特徴とする請求項１から４のいずれか１項に記載の画像形成装置。
【請求項６】
前記制御手段は、前記シート挿入口に挿入されたシートを前記検知手段が検知していても、複数のシートを綴じるための針が前記ステイプル手段に無ければ、前記所定の条件が満たされたことに従って、前記画像形成装置を前記第１電力状態から前記第２電力状態へ移行させる
ことを特徴とする請求項１から５のいずれか１項に記載の画像形成装置。
【請求項７】
前記制御手段は、前記シート挿入口に挿入されたシートを前記検知手段が検知していても、前記制御手段及び前記ステイプル手段に対してそれぞれ異なる電源から電力が供給されていれば、前記所定の条件が満たされたことに従って、前記画像形成装置を前記第１電力状態から前記第２電力状態へ移行させる
ことを特徴とする請求項１から６のいずれか１項に記載の画像形成装置。
【請求項８】
前記検知手段は、前記シート挿入口に挿入されたシートを検知するセンサである
ことを特徴とする請求項１から７のいずれか１項に記載の画像形成装置。
【請求項９】
前記第２電力状態において前記ステイプル手段への電力供給が停止される
ことを特徴とする請求項１から８のいずれか１項に記載の画像形成装置。
【請求項１０】
前記第２電力状態において前記制御手段への電力供給が停止される
ことを特徴とする請求項１から９のいずれか１項に記載の画像形成装置。
【請求項１１】
前記制御手段は、前記シート挿入口に挿入されたシートを前記検知手段が検知していれば、前記シート挿入口に挿入された前記シートを前記検知手段が検出しなくなったときに前記画像形成装置から前記第１電力状態から前記第２電力状態へ移行するようにする予約を行う
ことを特徴とする請求項１から１０のいずれか１項に記載の画像形成装置。
【請求項１２】
前記ステイプル手段が、前記画像形成装置の前記ステイプル手段以外の部分に電力を供給する電源とは異なる電源を有していれば、前記シート挿入口に挿入されたシートを前記検知手段が検知しているかによらず、所定の時間に、前記ステイプル手段を除いて前記画像形成装置のシャットダウンを行うシャットダウン手段を更に備える
ことを特徴とする請求項１から１１のいずれか１項に記載の画像形成装置。
【請求項１３】
前記シート挿入口にシートが挿入されている状態で前記シャットダウン手段が前記画像形成装置のシャットダウンを行う場合に、シャットダウン処理が行われることをユーザに通知する通知手段を更に備える
ことを特徴とする請求項１２に記載の画像形成装置。
【請求項１４】
前記制御手段は、前記シート挿入口にシートが挿入されており、かつ、表示部のバックライトがオフの状態で、前記シャットダウン手段が前記画像形成装置のシャットダウンを行う場合に、前記バックライトをオンにする
ことを特徴とする請求項１２又は１３に記載の画像形成装置。
【請求項１５】
シート挿入口を有し、ユーザによって前記シート挿入口に挿入された複数のシートに対してステイプルを行うステイプル手段と、前記シート挿入口に挿入されたシートを検知する検知手段と、を備える画像形成装置の制御方法であって、
所定の条件が満たされたことに基づいて、前記画像形成装置を前記第１電力状態から前記第２電力状態へ移行させるように制御する制御工程を含み、
前記制御工程では、少なくとも前記シート挿入口に挿入されたシートを前記検知手段が検知している間は、前記画像形成装置を前記第１電力状態から前記第２電力状態へ移行させない
を含むことを特徴とする制御方法。
【請求項１６】
前記制御工程では、前記シート挿入口に挿入されたシートを前記検知手段が検知していないことを少なくとも１つの条件として、前記画像形成装置を前記第１電力状態から前記第２電力状態へ移行させる
ことを特徴とする請求項１５に記載の制御方法。
【請求項１７】
前記制御工程では、前記シート挿入口に挿入されたシートを前記検知手段が検知している間に前記所定の条件が満たされた場合には、前記シート挿入口に挿入された前記シートを前記検知手段が検出しなくなったときに前記画像形成装置を前記第１電力状態から前記第２電力状態へ移行させる
ことを特徴とする請求項１５又は１６に記載の制御方法。
【請求項１８】
前記所定の条件が満たされたことによって前記画像形成装置が前記第１電力状態から前記第２電力状態へ移行している間に、前記シート挿入口に挿入されたシートを前記検知手段が検知すると、前記画像形成装置を前記第２電力状態から前記第１電力状態へ戻す工程を更に含む
ことを特徴とする請求項１５から１７のいずれか１項に記載の制御方法。
【請求項１９】
前記シート挿入口に挿入されたシートを前記検知手段が検知すると、表示部のバックライトをオンにする工程を更に含む
ことを特徴とする請求項１５から１８のいずれか１項に記載の制御方法。
【請求項２０】
前記制御工程では、前記シート挿入口に挿入されたシートを前記検知手段が検知していても、複数のシートを綴じるための針が前記ステイプル手段に無ければ、前記所定の条件が満たされたことに従って、前記画像形成装置を前記第１電力状態から前記第２電力状態へ移行させる
ことを特徴とする請求項１５から１９のいずれか１項に記載の制御方法。
【請求項２１】
前記制御工程では、前記シート挿入口に挿入されたシートを前記検知手段が検知していても、制御手段及び前記ステイプル手段に対してそれぞれ異なる電源から電力が供給されていれば、前記所定の条件が満たされたことに従って、前記画像形成装置を前記第１電力状態から前記第２電力状態へ移行させる
ことを特徴とする請求項１５から２０のいずれか１項に記載の制御方法。
【請求項２２】
前記検知手段は、前記シート挿入口に挿入されたシートを検知するセンサである
ことを特徴とする請求項１５から２１のいずれか１項に記載の制御方法。
【請求項２３】
請求項１５から２２のいずれか１項に記載の画像形成装置の制御方法の各工程をコンピュータに実行させるためのプログラム。
【手続補正２】
【補正対象書類名】明細書
【補正対象項目名】００１０
【補正方法】変更
【補正の内容】
【００１０】
上記目的を達成するために本発明の一態様に係る画像形成装置は、シート挿入口を有し、ユーザによって前記シート挿入口に挿入された複数のシートに対してステイプルを行うステイプル手段と、前記シート挿入口に挿入されたシートを検知する検知手段と、所定の条件が満たされたことに基づいて、前記画像形成装置を前記第１電力状態から前記第２電力状態へ移行させる制御手段と、を備え、前記制御手段は、少なくとも前記シート挿入口に挿入されたシートを前記検知手段が検知している間は、前記画像形成装置を前記第１電力状態から前記第２電力状態へ移行させないことを特徴とする。
【手続補正３】
【補正対象書類名】明細書
【補正対象項目名】００３３
【補正方法】変更
【補正の内容】
【００３３】
図３に戻り、スイッチ４５０は、ステイプラ６０１を動作させるメカニカルスイッチである。ドライバ部８２１と針打ち込み部８２２のセンサによりシート束Ｐを検知している状態でスイッチ４５０を押すことで、ステイプラ６０１を動作させて、マニュアルステイプルを行う。スイッチ４５０は、操作部５にソフトウェアスイッチを設けることで代替できるが、その説明は割愛する。
【手続補正４】
【補正対象書類名】明細書
【補正対象項目名】００３８
【補正方法】変更
【補正の内容】
【００３８】
操作部５は制御部３と接続され、タッチパネルなどの機能を有する表示部やハードキー等を有し、この画像形成装置１を操作するためのユーザインターフェースを提供している。表示部１５００はタッチパネル機能を有する表示部で、主なモード設定、状況表示はここで行われる。テンキー１５０１は０〜９までの数値を入力するのに使用される。ＩＤキー１５０２は、この画像形成装置１が部門で管理されている場合に、その部門番号と暗証モードを入力する際に使用される。リセットキー１５０３は、設定されたモードをリセットする。ガイドキー１５０４は、各モードについての説明画面を表示するように指示する。ユーザーモードキー１５０５は、ユーザーモード画面に入るためのキーである。割り込みキー１５０６は割り込みコピーを行う場合に使用される。スタートキー１５０７はコピー動作をスタートさせるためのキー、ストップキー１５０８は実行中のコピージョブを中止させるためのキーである。節電キー１５０９は、押下することにより表示部１５００のバックライトが消えてスリープ状態に移行する。コントラスト調整キー１５１０は、表示部１５００のコントラストを調整するためのキーである。カウンタ確認キー１５１１は、押下されると、それまでに使用したコピー枚数の集計を表示するカウント画面が表示部１５００に表示される。ＬＥＤ１５１２は、ジョブの実行中、画像メモリへの画像蓄積中を示す。エラーＬＥＤ１５１３は、ジャム、ドアオープン等装置がエラー状態にある場合に点灯する。電源ＬＥＤ１５１４は、画像形成装置１のメインスイッチがオンであることを示すＬＥＤである。１５５１〜１５５６は、それぞれコピー、スキャンして保存、保存文書の印刷、スキャンして送信、ＦＡＸ、電力見える化、に移行させるためのソフトウェアボタンである。ボタン１５５１は、コピー機能の画面への遷移ボタンである。ボタン１５５２は、スキャナ部２でスキャンした画像データを、ハードディスク６に保存するスキャンして保存機能の画面への遷移ボタンである。ボタン１５５３は、ハードディスク６に保存した画像データを、プリンタ部４で印刷する保存文書印刷機能への遷移ボタンである。ボタン１５５４は、スキャナ部２で得られた画像データを、制御部３からＬＡＮ８を経由し、コンピュータ９へ送るスキャンして送信機能への遷移ボタンである。ボタン１５５５は、スキャナ部２で得られた画像データを、制御部３から、ＦＡＸ部７を経由して電話回線へ送るファックス機能への遷移ボタンである。ボタン１５５６は、画像形成装置１の電力状態を表示部１５００で確認する電力見える化機能への遷移ボタンである。
【手続補正５】
【補正対象書類名】明細書
【補正対象項目名】００４０
【補正方法】変更
【補正の内容】
【００４０】
電源制御部３０３は、電源３０１からの常夜電源ライン３０２を介して常時電力が供給されている。但し、電源制御部３０３の消費電力は微弱な電力量に留まるため、スリープ時にはこの電源制御部３０３とスリープからの復帰要因となる箇所のみに通電されるように電力制御が行われる。ＣＰＬＤ（Complex Programmable Logic Device）３０４は、画像形成装置１の各部への電力の供給及び停止を制御するハードウェアロジック回路である。このＣＰＬＤ３０４は、予め下記に示す所望の動作を実行するようプログラムされている。即ち、ＩＯ信号Ｖ＿ＯＮ３０７によってリレースイッチ３０８をオン／オフすることにより、電源３０１から非常夜電源ライン３０９を経由するコントローラ３への給電を制御する。また、ＣＰＵ２０１により複数のタイマ値が設定され、タイマ起動時にはＣＰＵ２０１によって設定された動作を実行する。また、ＩＯ信号Ｐ＿ＯＮ３１０によってリレースイッチ３１１をオン／オフすることにより、電源３０１から非常夜電源ライン３１２を経由するプリンタ部４への給電を制御する。また、ＣＰＵ２０１の指示によって所定のＩＯ信号を動作させることができる。ＩＯ信号は、プリンタ部４のＣＰＵ３２０へ接続されたＤＣＯＮ＿ＬＩＶＥＷＡＫＥ信号３０５を含む。この信号３０５がアサートされた状態でプリンタ部４の電源が投入されると、プリンタ部４は可動部を制御したり電力を使ったりする特定の動作を行わずに静かに復帰する。この特定の動作には、例えば、モータ、ローラ、ポリゴンなどの回転動作や、ドラム３２１〜３２４の温調やＦＡＮ３２５による排熱処理といった制御がある。
【手続補正６】
【補正対象書類名】明細書
【補正対象項目名】００４１
【補正方法】変更
【補正の内容】
【００４１】
プリンタ部４のＣＰＵ３２０は、割り込みを通知するＩＮＴ＿ＤＣＯＮ信号３０６に従って、センサなどの割り込みをＣＰＬＤ３０４に通知する。ＣＰＬＤ３０４は、この割り込みの通知を受けるとＩＯ信号のＰ＿ＯＮ信号３１０によりスイッチ３１１をオンにして、電源３０１から非常夜電源ライン３１２を経由してプリンタ部４に給電する。
【手続補正７】
【補正対象書類名】明細書
【補正対象項目名】００４２
【補正方法】変更
【補正の内容】
【００４２】
フィニッシャ１００のＣＰＵ３３０は、割り込み通知するＩＮＴ＿ＡＣＣ信号３３５により、センサなどからの割り込みをプリンタ部４のＣＰＵ３２０に通知し、更にＣＰＵ３２０はＩＮＴ＿ＤＣＯＮ信号３０６によりＣＰＬＤ３０４に通知する。ＣＰＬＤ３０４はこの割り込みを受けて、ＩＯ信号のＰ＿ＯＮ３１０によりスイッチ３１１をＯＮにする。これにより電源３０１から非常夜電源ライン３１２、プリンタ部４、非常夜電源ライン３３６を経由して、フィニッシャ１００に給電される。このようにフィニッシャ１００に給電することでステイプラ６０１にも給電することができる。尚、ＣＰＬＤ３０４は、割り込みを受けなくても、必要に応じて給電を制御することもできる。スキャナ部２は、プリンタ部４の説明と同様に、ＣＰＬＤ３０４によりその給電の制御が可能であるが説明が重複するため、その説明を省略する。
【手続補正８】
【補正対象書類名】明細書
【補正対象項目名】００６０
【補正方法】変更
【補正の内容】
【００６０】
ブートＲＯＭ２０２は、低レベルのハードウェア制御ライブラリ等が含まれているＢＩＯＳである。一般的にはＩＢＭ互換機などとの互換性を確保するためのものであり、いわゆるコンピュータシステム上必須ではないが、例えばＡＣＰＩ規格による省電力機能の一部を実行できるため記載した。以上のハードウェア構成をもつ画像形成装置１において、ＣＰＵ２０１は、電源スイッチ１０１がオフになる際に、ＣＰＬＤ３０４を介して電源スイッチ１０１の状態を受け取る。つまりＣＰＵ２０１は、通常、電源オフを検知するとシャットダウンシーケンスを動作させ、ＣＰＬＤ３０４にシャットダウン指示を行う。その結果、ＩＯ信号Ｖ＿ＯＮ３０７によりリレースイッチ３０８をオフにし、電源３０１から非常夜電源ライン３０９を介した制御部３への電力供給を停止させることで、完全にシャットダウンされる。このシャットダウンによりＣＰＵ２０１によるプログラムの実行も完全に終了するため、次回電源スイッチ１０１をオンにした際は、ＣＰＵ２０１のプログラムは通常通り起動することになる。
【手続補正９】
【補正対象書類名】明細書
【補正対象項目名】００６１
【補正方法】変更
【補正の内容】
【００６１】
次に画像形成装置１の起動時の給電について補足する。操作者が画像形成装置１を使用する場合は、電源スイッチ１０１をオンにする。ＣＰＬＤ３０４は、この電源オンを検知するとＩＯ信号Ｎ＿ＯＮ３０７によりリレースイッチ３０８をオンして電源３０１から非常夜電源ライン３０９を介して制御部３に給電する。これによりＣＰＵ２０１は、ハードウェアの初期化を行う。このハードウェアの初期化は、レジスタ初期化、割り込み初期化、カーネル起動時のデバイスドライバの登録、表示部の初期化などを含む。次にＣＰＵ２０１はソフトウェアの初期化を行う。このソフトウェアの初期化は、各ライブラリの初期化ルーチンの呼び出し、プロセスやスレッドの起動、プリンタ部４やスキャナ部２とコミュニケーションを行うソフトウェアサービスの起動、表示部の描画などを含む。こうして初期化処理が終了するとアイドル状態へ移行する。この後、スキャナ部２、プリンタ部４、フィニッシャ１００等に給電する。プリンタ部４、スキャナ部２、フィニッシャ１００は、各々のＣＰＵが電源オンによる初期化動作を開始する。
【手続補正１０】
【補正対象書類名】明細書
【補正対象項目名】００６４
【補正方法】変更
【補正の内容】
【００６４】
印刷機能におけるプリンタ部４の電源オン／オフについて説明する。制御部３のＣＰＵ２０１は、コンピュータ９からＬＡＮ８を経由して印刷データを受信するとメモリ２０３に格納する。ＣＰＵ２０１は、受信した印刷データを解析し、印刷を実行する場合は印刷ジョブを生成する。ＣＰＵ２０１は、ＩＯ信号Ｐ＿ＯＮ３１０によりスイッチ３１１をオンにしてプリンタ部４に給電する。ＣＰＵ２０１は、こうしてプリンタ部４が使用可能になると印刷ジョブを実行する。ＣＰＵ２０１は、メモリ２０３から、バスコントローラ２０４，２２４、画像処理部２２７、デバイスコントローラ２２６を経由してプリンタ部４へデータを送信する。プリンタ部４は、受信したデータを印刷し、印刷が完了すると、その結果をＣＰＵ２０１へ通知する。ＣＰＵ２０１は印刷が完了すると、ＣＰＬＤ３０４によりＩＯ信号Ｐ＿ＯＮ３１０を出力させてリレースイッチ３１１をオフさせ、電源３０１から非常夜電源ライン３１２によるプリンタ部４への給電を停止する。
【手続補正１１】
【補正対象書類名】明細書
【補正対象項目名】００９０
【補正方法】変更
【補正の内容】
【００９０】
即ち、Ｓ１３０３でフィニッシャ１００のＣＰＵは、ステイプラ６０１のセンサにより原稿を検知すると割り込み信号ＩＮＴ＿ＡＣＣ３３５によりＣＰＬＤ３０４に通知する。これによりＣＰＬＤ３０４は、ＩＯ信号Ｖ＿ＯＮ３０７によりリレースイッチ３０８をオンして制御部３に通電してＣＰＵ２０１がスリープ状態から復帰する。
【手続補正１２】
【補正対象書類名】明細書
【補正対象項目名】０１０３
【補正方法】変更
【補正の内容】
【０１０３】
一方、Ｓ１６０１で原稿を検知しないと判定した場合、或いはＳ１６０２でフィニッシャ１００が別電源のときはＳ１６０４に進み、ＣＰＵ２０１は、図１１のＳ１１１２等と同様の処理を実行する。即ち、ＣＰＵ２０１は、節電機能の実行を禁止してから節電機能を開始するまでの間に、節電機能タイマのタイムアップや節電機能の指定時刻になっていたかどうかを判定し、なっていた場合はＳ１６０５に進む。Ｓ１６０５でＣＰＵ２０１は、直ぐに節電機能を実行して処理を終了する。またそうでないときはＳ１６０６に進みＣＰＵ２０１は、通常通り節電機能を実行して処理を終了する。
【手続補正１３】
【補正対象書類名】図面
【補正対象項目名】図８
【補正方法】変更
【補正の内容】
【図８】
2015214034.tif 000001